(57)【要約】【課題】自動再生ファイルの自動再生時間に基づいて画像の再生中に残時間を表示したり、早送りや更新ができるようにすること。【解決手段】画像の再生時に自動再生ファイルを読み出し、画像をその順で再生すると共にその自動再生時間間隔で規定された残表示時間を算出する。残表示時間の表示パターンはＯＳＤ発生部１１で生成し、画像重畳部１２で表示画像に重畳して表示する。こうすれば表示の残り時間を画面上で表示することができる。【選択図】　　　　図１
2004007528.tif 000002
【特許請求の範囲】
【請求項１】
複数の画像ファイル及び前記複数の画像ファイルについて少なくとも自動再生の可否、再生順序及び自動再生時間間隔を記述した自動再生ファイルを格納した画像ファイル記憶メディアを再生する画像再生装置であって、前記画像ファイル記憶メディアに格納された各ファイル情報を読み出す読み出し部と、
前記読み出し部によって読み出された前記画像ファイルの画像データを展開する画像展開部と、
前記画像展開部により展開した画像ファイルの画像データを記憶する記憶素子と、
前記自動再生ファイルの情報を入力とし、その再生順序に応じて前記画像ファイル記憶メディアに格納された前記画像ファイルを自動再生時間間隔で読み出し制御を行う制御部と、
前記画像表示部に表示されている画像の表示残時間を示すＯＳＤ画像を出力するＯＳＤ発生部と、
前記ＯＳＤ発生部と前記画像展開部の出力を各々入力とし、前記双方の画像データを重畳した信号を出力する画像重畳部と、
前記画像重畳部によって重畳された画像データを表示する画像表示部と、を具備することを特徴とする画像再生装置。
【請求項２】
複数の画像ファイル及び前記複数の画像ファイルについて少なくとも自動再生の可否、及び再生順序を記述した自動再生ファイルを格納した画像ファイル記憶メディアを再生する画像再生装置であって、
前記画像ファイル記憶メディアに格納された各ファイル情報を読み出す読み出し部と、
前記自動再生ファイルの再生時間間隔を入力する入力部と、
前記読み出し部によって読み出された前記画像ファイルの画像データを展開する画像展開部と、
前記画像展開部により展開した画像ファイルの画像データを記憶する記憶素子と、
前記記憶素子から前記画像展開部により読み込まれた画像データを表示する画像表示部と、
前記自動再生ファイルの情報を入力とし、その再生順序に応じて前記画像ファイル記憶メディアに格納された前記画像ファイルを前記入力部で入力された再生時間間隔毎に読み出し制御を行う制御部と、を具備することを特徴とする画像再生装置。
【請求項３】
複数の画像ファイル及び前記複数の画像ファイルについて少なくとも自動再生の可否、再生順序及び自動再生時間間隔を記述した自動再生ファイルを格納した画像ファイル記憶メディアを再生する画像再生装置であって、前記画像ファイル記憶メディアに格納された各ファイル情報を読み出す読み出し部と、
画像の早送り又は巻き戻しのうちの少なくともいずれかを入力する入力部と、前記読み出し部によって読み出された前記画像ファイルの画像データを展開する画像展開部と、
前記画像展開部により展開した画像ファイルの画像データを記憶する記憶素子と、
前記記憶素子から前記画像展開部により読み込まれた画像データを表示する画像表示部と、
前記自動再生ファイルの情報を入力とし、前記画像ファイル記憶メディアに格納された前記画像ファイルを自動再生時間間隔で読み出すと共に、前記入力部より早送り及び巻き戻しのいずれかの入力があれば夫々前記自動再生ファイルに記述された再生順序通り及びその逆順のいずれかにより前記画像ファイルを読み出すように制御する制御部と、を具備することを特徴とする画像再生装置。
【請求項４】
サムネイル画像を含む複数の画像ファイル及び前記複数の画像ファイルについて少なくとも自動再生の可否、再生順序及び自動再生時間間隔を記述した自動再生ファイルを格納した画像ファイル記憶メディアを再生する画像再生装置であって、
前記画像ファイル記憶メディアに格納された各ファイル情報を読み出す読み出し部と、
画像の早送り又は巻き戻しのうちの少なくともいずれかを入力する入力部と、前記読み出し部によって読み出された前記画像ファイルの画像データを展開する画像展開部と、
前記画像展開部により展開した画像ファイルの画像データを記憶する記憶素子と、
前記記憶素子から前記画像展開部により読み込まれた画像データを表示する画像表示部と、
前記自動再生ファイルの情報を入力とし前記画像ファイル記憶メディアに格納された前記画像ファイルを自動再生時間間隔で読み出すと共に、前記入力部より早送り及び巻き戻しのいずれかの入力があれば夫々前記自動再生ファイルに記述された再生順序通り及びその逆順のいずれかにより前記画像ファイルのサムネイル画像を読み出すように制御する制御部と、を具備することを特徴とする画像再生装置。
【請求項５】
前記早送り又は巻き戻しの際に画像更新回数を計測する画像更新回数計測部を更に有し、
前記制御部は、前記画像更新回数が閾値を超えた場合に画面上に分割して複数の画像を同時に表示するように制御することを特徴とする請求項３記載の画像再生装置。
【請求項６】
前記読み出し部よりサムネイル画像が読み出されたときに、サムネイル画像を拡大して前記画像表示部に与える画像拡大部を更に有することを特徴とする請求項４記載の画像再生装置。
【請求項７】
複数の画像ファイル及び前記複数の画像ファイルについて少なくとも自動再生の可否、再生順序及び自動再生時間間隔を記述した自動再生ファイルを格納した画像ファイル記憶メディアを再生する画像再生方法であって、
前記画像ファイル記憶メディアに格納された自動再生ファイルを読み出し、
前記自動再生ファイルに記述された画像ファイルの再生順序及び自動再生時間間隔に応じて順次前記画像ファイル記憶メディアより画像ファイルを読み出し、
読み出されたファイルの画像データを展開し、
自動再生時間間隔毎で定まる画像表示の残時間を示すＯＳＤ画像を生成し、
ＯＳＤ画像と展開した画像とを重畳して表示することを特徴とする画像再生方法。
【請求項８】
複数の画像ファイル及び前記複数の画像ファイルについて少なくとも自動再生の可否、及び再生順序を記述した自動再生ファイルを格納した画像ファイル記憶メディアを再生する画像再生方法であって、
あらかじめ自動再生ファイルの再生時間間隔を入力しておき、
前記画像ファイル記憶メディアに格納された自動再生ファイルを読み出し、
前記自動再生ファイルに記述された再生順序に応じて、入力された再生時間間隔毎に前記画像ファイル記憶メディアに格納された前記画像ファイルを読み出し、
読み出された前記画像ファイルの画像データを展開し、
前記画像展開部により展開した画像ファイルの画像データを表示することを特徴とする画像再生方法。
【請求項９】
複数の画像ファイル及び前記複数の画像ファイルについて少なくとも自動再生の可否、再生順序及び自動再生時間間隔を記述した自動再生ファイルを格納した画像ファイル記憶メディアを再生する画像再生方法であって、
前記画像ファイル記憶メディアに格納された自動再生ファイルを読み出し、
前記画像ファイル記憶メディアに格納された前記画像ファイルを自動再生順序及び自動再生時間間隔で読み出すと共に、早送り及び巻き戻しのいずれかの入力があれば夫々前記自動再生ファイルに記述された再生順序通り及びその逆順のいずれかにより前記画像ファイルを読み出し、
読み出された前記画像ファイルの画像データを展開し、
展開された画像データを表示することを特徴とする画像再生方法。
【請求項１０】
サムネイル画像を含む複数の画像ファイル及び前記複数の画像ファイルについて少なくとも自動再生の可否、再生順序及び自動再生時間間隔を記述した自動再生ファイルを格納した画像ファイル記憶メディアを再生する画像再生方法であって、
前記画像ファイル記憶メディアに格納された自動再生ファイルを読み出し、
前記画像ファイル記憶メディアに格納された前記画像ファイルを自動再生順序及び自動再生時間間隔で読み出すと共に、早送り及び巻き戻しのいずれかの入力があれば夫々前記自動再生ファイルに記述された再生順序通り及びその逆順のいずれかにより前記画像ファイルのサムネイル画像を読み出し、
前記画像ファイルの画像データを展開し、
展開された画像データを表示することを特徴とする画像再生方法。
【請求項１１】
前記早送り又は巻き戻しの際に画像更新回数を計測し、
前記画像更新回数が閾値を超えた場合に画面上に分割して複数の画像を同時に表示するように制御することを特徴とする請求項９記載の画像再生方法。
【請求項１２】
前記サムネイル画像が読み出されたときに、サムネイル画像を拡大して表示することを特徴とする請求項１０記載の画像再生方法。
【発明の詳細な説明】
【０００１】
【発明の属する技術分野】
本発明は、格納された画像ファイルの自動再生機能を有するＣＦカードやＳＤカードといった画像ファイル記憶メディアを、プロジェクタやプラズマディスプレイなどの画像表示装置に挿入し、自動再生機能を使用したプレゼンテーションを行う画像再生装置及び方法に関するものである。
【０００２】
【従来の技術】
近年、デジタルカメラは、本体の高画質化や低価格化に加え、パソコンやカラープリンタの高性能化と相まって、爆発的に普及し始めている。このような背景の中、デジタルカメラの更なる普及を目的とし、デジタルカメラで撮影した画像の撮影条件などの付帯情報の格納方法やカラープリンタとのインターフェースを改善する方法が提案されている。一方、プロジェクタにおいては、本体の小型・軽量化及び低価格化が進行し、ホームユースのプロジェクタが普及しつつある。近い将来、一般家庭でもデジタルカメラで撮影した画像に対し、プロジェクタを使用して鑑賞することが十分予想される。
【０００３】
このような画像再生装置においては、まず使用者が、デジタルカメラなどで撮影された画像ファイル記憶メディアを画像再生装置に挿入する。画像ファイル記憶メディアには複数の画像ファイル、及び画像ファイルに対し自動再生を制御する自動再生ファイルが格納されている。ここで、画像ファイル記憶メディアのファイル構成の一例を図１４に示す。図１４は、松下電器産業株式会社など４社が一般に公表しているＤＰＯＦ仕様に準拠した画像ファイル構成である。画像ファイル記憶メディア内のファイル構成は、ＲＯＯＴディレクトリの下に、一般の画像ファイルを格納するＤＣＩＭフォルダと、自動再生ファイル情報などの制御情報を格納するＭＩＳＣフォルダが設けられる。一般の画像ファイル、ＡＢＣ０００１．ＪＰＧ、ＡＢＣ０００２．ＪＰＧ等は、ＤＣＩＭフォルダの最下層に全て置かれる。ＭＩＳＣフォルダにあるＡＵＴＰＲＩＮＴ．ＭＲＫファイルは自動プリントファイル、ＵＮＩＣＯＤＥ．ＭＲＫファイルはユニコード（ＵＮＩＣＯＤＥ）文字列記述ファイル、ＡＵＴＸＦＥＲ．ＭＲＫは自動送信制御ファイルである。又ＡＵＴＰＬＡＹｎ．ＭＲＫファイルは自動再生ファイルである。この自動再生ファイルにはこれらの画像ファイルに対し、自動再生制御を行う制御情報を格納している。この制御情報は、自動再生を行う画像ファイルの指定，順序，自動再生時間の間隔などの情報である。例えば、画像ファイルとして、ＡＢＣ０００１．ＪＰＧ〜ＡＢＣ００１０．ＪＰＧの１０枚の画像ファイルがＤＣＩＭの最下層にあり、自動再生ファイルとして、ＡＢＣ０００２．ＪＰＧ、ＡＢＣ０００５．ＪＰＧ、ＡＢＣ０００９．ＪＰＧの３枚の画像を指定し、且つ、自動再生時間間隔（以下、単に再生時間という）が１０秒であるとする。この場合、まず画像ファイルＡＢＣ０００２の画像データを画像再生装置にある任意のディスプレイ上に表示する。次いで１０秒間の経過後に、次の画像ファイルＡＢＣ０００５の画像データを画像ファイル記憶メディアから読み出し、同様に１０秒間表示する。次に同様に画像ファイルＡＢＣ０００９の画像データを１０秒間表示する。この場合他の７枚の画像ファイルは表示されない。
【０００４】
また、画像再生装置は、１６０×１２０画素からなる複数のサムネイル画像を一覧にして表示することができる。図１５に画像ファイルの構成例を示す。一般にデジタルカメラで撮像されるＪＰＥＧ形式で圧縮された画像ファイルは、アプリケーションマーカブロック、画素数、量子化テーブル等（ＪＰＥＧヘッダ）、主画像の圧縮データ領域を有している。そしてアプリケーションマーカブロックには撮影条件などの画像付帯情報、サムネイル、即ち１６０×１２０画素を圧縮したＪＰＥＧ符号が格納されており、このサムネイルの領域には又画素数、量子化テーブル等とサムネイルのＪＰＥＧ圧縮データが保持されている。尚ここでＳＯＩはスタートマーカ、ＥＯＩは終了マーカである。
【０００５】
又外部より自動再生ファイルに相当するファイルを生成し、画像ファイル記憶メディアの情報を書き換えたり、書き換えた情報に基づいて自動表示するようにした画像表示装置（特許文献１、２）が知られている。
【０００６】
【特許文献１】
特開平４−３４０９９６号公報
【特許文献２】
特開平１１−２７５４１５号公報
【非特許文献１】
【０００７】
【発明が解決しようとする課題】
このような従来の画像再生装置は、自動再生ファイル３に記述された自動再生時間間隔情報に基づき指定された画像ファイルの画像データを自動的に更新するものであった。画像再生装置の使用者は、再生時に画像再生装置に表示されている画像がいつ次の画像に更新されるかが不明なため、自動再生時間内に説明が終わらなかったり、或いは時間が余ったりしてスムーズなプレゼンテーションが行えないという課題を有していた。
【０００８】
又、上述のような従来の構成では、自動再生ファイルに記述された再生時間に従って画像再生装置上に表示される表示画像を更新するため、表示画像の再生時間を使用者が自由にコントロールすることができないという課題があった。又自動再生ファイルを書き換えた場合には、元に戻しにくいという課題もあった。
【０００９】
本発明はこのような従来の問題点を解決するものであって、現在表示されている表示画像の表示時間を容易に把握し、再生時間を容易に変更したり、早送りや巻き戻しができるようにすることを目的とする。
【００１０】
【課題を解決するための手段】
本願の請求項１の発明は、複数の画像ファイル及び前記複数の画像ファイルについて少なくとも自動再生の可否、再生順序及び自動再生時間間隔を記述した自動再生ファイルを格納した画像ファイル記憶メディアを再生する画像再生装置であって、前記画像ファイル記憶メディアに格納された各ファイル情報を読み出す読み出し部と、前記読み出し部によって読み出された前記画像ファイルの画像データを展開する画像展開部と、前記画像展開部により展開した画像ファイルの画像データを記憶する記憶素子と、前記自動再生ファイルの情報を入力とし、その再生順序に応じて前記画像ファイル記憶メディアに格納された前記画像ファイルを自動再生時間間隔で読み出し制御を行う制御部と、前記画像表示部に表示されている画像の表示残時間を示すＯＳＤ画像を出力するＯＳＤ発生部と、前記ＯＳＤ発生部と前記画像展開部の出力を各々入力とし、前記双方の画像データを重畳した信号を出力する画像重畳部と、前記画像重畳部によって重畳された画像データを表示する画像表示部と、を具備することを特徴とするものである。
【００１１】
本願の請求項２の発明は、複数の画像ファイル及び前記複数の画像ファイルについて少なくとも自動再生の可否、及び再生順序を記述した自動再生ファイルを格納した画像ファイル記憶メディアを再生する画像再生装置であって、前記画像ファイル記憶メディアに格納された各ファイル情報を読み出す読み出し部と、前記自動再生ファイルの再生時間間隔を入力する入力部と、前記読み出し部によって読み出された前記画像ファイルの画像データを展開する画像展開部と、前記画像展開部により展開した画像ファイルの画像データを記憶する記憶素子と、前記記憶素子から前記画像展開部により読み込まれた画像データを表示する画像表示部と、前記自動再生ファイルの情報を入力とし、その再生順序に応じて前記画像ファイル記憶メディアに格納された前記画像ファイルを前記入力部で入力された再生時間間隔毎に読み出し制御を行う制御部と、を具備することを特徴とするものである。
【００１２】
本願の請求項３の発明は、複数の画像ファイル及び前記複数の画像ファイルについて少なくとも自動再生の可否、再生順序及び自動再生時間間隔を記述した自動再生ファイルを格納した画像ファイル記憶メディアを再生する画像再生装置であって、前記画像ファイル記憶メディアに格納された各ファイル情報を読み出す読み出し部と、画像の早送り又は巻き戻しのうちの少なくともいずれかを入力する入力部と、前記読み出し部によって読み出された前記画像ファイルの画像データを展開する画像展開部と、前記画像展開部により展開した画像ファイルの画像データを記憶する記憶素子と、前記記憶素子から前記画像展開部により読み込まれた画像データを表示する画像表示部と、前記自動再生ファイルの情報を入力とし、前記画像ファイル記憶メディアに格納された前記画像ファイルを自動再生時間間隔で読み出すと共に、前記入力部より早送り及び巻き戻しのいずれかの入力があれば夫々前記自動再生ファイルに記述された再生順序通り及びその逆順のいずれかにより前記画像ファイルを読み出すように制御する制御部と、を具備することを特徴とするものである。
【００１３】
本願の請求項４の発明は、サムネイル画像を含む複数の画像ファイル及び前記複数の画像ファイルについて少なくとも自動再生の可否、再生順序及び自動再生時間間隔を記述した自動再生ファイルを格納した画像ファイル記憶メディアを再生する画像再生装置であって、前記画像ファイル記憶メディアに格納された各ファイル情報を読み出す読み出し部と、画像の早送り又は巻き戻しのうちの少なくともいずれかを入力する入力部と、前記読み出し部によって読み出された前記画像ファイルの画像データを展開する画像展開部と、前記画像展開部により展開した画像ファイルの画像データを記憶する記憶素子と、前記記憶素子から前記画像展開部により読み込まれた画像データを表示する画像表示部と、前記自動再生ファイルの情報を入力とし前記画像ファイル記憶メディアに格納された前記画像ファイルを自動再生時間間隔で読み出すと共に、前記入力部より早送り及び巻き戻しのいずれかの入力があれば夫々前記自動再生ファイルに記述された再生順序通り及びその逆順のいずれかにより前記画像ファイルのサムネイル画像を読み出すように制御する制御部と、を具備することを特徴とするものである。
【００１４】
本願の請求項５の発明は、請求項３の画像再生装置において、前記早送り又は巻き戻しの際に画像更新回数を計測する画像更新回数計測部を更に有し、前記制御部は、前記画像更新回数が閾値を超えた場合に画面上に分割して複数の画像を同時に表示するように制御することを特徴とするものである。
【００１５】
本願の請求項６の発明は、請求項４の画像再生装置において、前記読み出し部よりサムネイル画像が読み出されたときに、サムネイル画像を拡大して前記画像表示部に与える画像拡大部を更に有することを特徴とするものである。
【００１６】
本願の請求項７の発明は、複数の画像ファイル及び前記複数の画像ファイルについて少なくとも自動再生の可否、再生順序及び自動再生時間間隔を記述した自動再生ファイルを格納した画像ファイル記憶メディアを再生する画像再生方法であって、前記画像ファイル記憶メディアに格納された自動再生ファイルを読み出し、前記自動再生ファイルに記述された画像ファイルの再生順序及び自動再生時間間隔に応じて順次前記画像ファイル記憶メディアより画像ファイルを読み出し、読み出されたファイルの画像データを展開し、自動再生時間間隔毎で定まる画像表示の残時間を示すＯＳＤ画像を生成し、ＯＳＤ画像と展開した画像とを重畳して表示することを特徴とするものである。
【００１７】
本願の請求項８の発明は、複数の画像ファイル及び前記複数の画像ファイルについて少なくとも自動再生の可否、及び再生順序を記述した自動再生ファイルを格納した画像ファイル記憶メディアを再生する画像再生方法であって、あらかじめ自動再生ファイルの再生時間間隔を入力しておき、前記画像ファイル記憶メディアに格納された自動再生ファイルを読み出し、前記自動再生ファイルに記述された再生順序に応じて、入力された再生時間間隔毎に前記画像ファイル記憶メディアに格納された前記画像ファイルを読み出し、読み出された前記画像ファイルの画像データを展開し、前記画像展開部により展開した画像ファイルの画像データを表示することを特徴とするものである。
【００１８】
本願の請求項９の発明は、複数の画像ファイル及び前記複数の画像ファイルについて少なくとも自動再生の可否、再生順序及び自動再生時間間隔を記述した自動再生ファイルを格納した画像ファイル記憶メディアを再生する画像再生方法であって、前記画像ファイル記憶メディアに格納された自動再生ファイルを読み出し、前記画像ファイル記憶メディアに格納された前記画像ファイルを自動再生順序及び自動再生時間間隔で読み出すと共に、早送り及び巻き戻しのいずれかの入力があれば夫々前記自動再生ファイルに記述された再生順序通り及びその逆順のいずれかにより前記画像ファイルを読み出し、読み出された前記画像ファイルの画像データを展開し、展開された画像データを表示することを特徴とするものである。
【００１９】
本願の請求項１０の発明は、サムネイル画像を含む複数の画像ファイル及び前記複数の画像ファイルについて少なくとも自動再生の可否、再生順序及び自動再生時間間隔を記述した自動再生ファイルを格納した画像ファイル記憶メディアを再生する画像再生方法であって、前記画像ファイル記憶メディアに格納された自動再生ファイルを読み出し、前記画像ファイル記憶メディアに格納された前記画像ファイルを自動再生順序及び自動再生時間間隔で読み出すと共に、早送り及び巻き戻しのいずれかの入力があれば夫々前記自動再生ファイルに記述された再生順序通り及びその逆順のいずれかにより前記画像ファイルのサムネイル画像を読み出し、前記画像ファイルの画像データを展開し、展開された画像データを表示することを特徴とするものである。
【００２０】
本願の請求項１１の発明は、請求項９の画像再生方法において、前記早送り又は巻き戻しの際に画像更新回数を計測し、前記画像更新回数が閾値を超えた場合に画面上に分割して複数の画像を同時に表示するように制御することを特徴とするものである。
【００２１】
本願の請求項１２の発明は、請求項１０の画像再生方法において、前記サムネイル画像が読み出されたときに、サムネイル画像を拡大して表示することを特徴とするものである。
【００２２】
【発明の実施の形態】
（実施の形態１）
以下、本発明の実施の形態１における画像再生装置及び画像再生方法について、図１から図３を用いて説明する。図１は、本発明における画像再生装置の構成を示すブロック図である。図１において、画像ファイル記憶メディア１は例えばＣＦカードやＳＤカードといった着脱自在のメディアである。画像ファイル記憶メディア１は少なくともデジタルカメラなどで撮影された画像ファイル２、自動再生ファイル３を格納する。読み出し部４は画像ファイル記憶メディア１内にある画像ファイル２及び自動再生ファイル３等の各ファイルを読み出すためのものであり、画像展開部５は画像ファイル２を展開するものである。記憶素子６は画像展開部５により展開された画像データを一時的に保存するものであり、画像表示部７は画像展開部５により展開された画像データをもとに任意のディスプレイ上に表示するものである。制御部８は各回路ブロックを制御するものであり、入力部９は外部から使用者が本画像再生装置の種々のメニューを実行命令するためのものである。入力部９の一例としては、画像再生装置本体に取り付けられたボタンやスイッチ，或いは赤外線リモコンやＵＳＢマウスなどのＵＳＢデバイスが挙げられる。又この画像再生装置には時間管理部１０，ＯＳＤ画像を出力するＯＳＤ発生部１１及び画像重畳部１２が設けられている。時間管理部１０は水晶発振やリアルタイムクロック等によって構成され、制御部８からの信号に応じて時間情報を出力するものである。ＯＳＤ発生部１１は自動再生時間に対する残り表示時間を示すＯＳＤ画像を出力するものであり、画像重畳部１２はこの画像と表示する画像とを重畳して画像表示部７に出力するものである。
【００２３】
以上のようなフォーマットで格納された画像ファイル記憶メディア１が、本画像再生装置に挿入され、表示が要求された場合の動作について図２のフローチャートを用いて説明する。まずステップＳ１において、制御部８は、画像ファイル記憶メディア１に格納されたファイル内容を読み出すために読み出し部４に対し制御を行い、画像ファイル記憶メディア１の自動再生ファイルを読み出す。そしてステップＳ２において自動再生ファイルで指定された主画像を画像展開部５へ読み出すように制御する。画像展開部５に出力された画像データは記憶素子６に展開され、展開された画像データは画像重畳部１２の一方に入力される。また、制御部８は、画像ファイル記憶メディア１内の自動再生ファイル３に格納された自動再生時間を読み取り、更に、時間管理部１０に対し、その画像ファイルを読み出した時間を起点として現在の時間は何秒後であるのかという情報を取得する。このようにして時間管理部１０から取得した時間と自動再生時間として取得した時間との差を制御部８で取得し、その結果をＯＳＤ発生部１１に出力する。ＯＳＤ発生部１１は、制御部８から出力された情報に基づき、図３に示すようなＯＳＤ画像を画像重畳部１２の他方に入力する。以上のように出力されたＯＳＤ画像と画像展開部５から出力された画像データを各々入力とした画像重畳部１２は、双方の画像を重畳し、その重畳された画像データを画像表示部７へ出力する（ステップＳ３，Ｓ４）。
【００２４】
そしてステップＳ５において自動再生ファイルに指定された自動再生時間がタイムアップしたかどうかをチェックし、タイムアップしていなければ残り表示時間の表示を続ける（ステップＳ４，Ｓ５）。タイムアップすればステップＳ６に進んで全ての画像表示が終了したかどうかをチェックし、終了していなければステップＳ２に戻り、次の画像ファイルを取り込んで同様の処理を行う。
【００２５】
例えば、画像ファイルとして、ＡＢＣ０００１．ＪＰＧ〜ＡＢＣ００１０．ＪＰＧの１０枚の画像ファイルがＤＣＩＭの最下層にあり、自動再生ファイル３として、ＡＢＣ０００２．ＪＰＧ、ＡＢＣ０００５．ＪＰＧ、ＡＢＣ０００９．ＪＰＧ、の３枚の画像が指定され、且つ自動再生時間間隔情報として１０秒が設定されている場合、まず最初に画像ファイルＡＢＣ０００２の画像データを読み出して表示する。そしてＯＳＤ画像によりその残り表示時間も同時に表示する。
【００２６】
図３は、このＯＳＤ画像の一例である。図３（ａ）は、画像再生装置上に表示されている画像の残り表示時間をＯＳＤ画像として表示したものである。例えば、自動再生時間として１０秒と指定された場合、ＯＳＤ発生部１１は、該画像ファイルの画像データが該画像ファイル記憶メディア１から読み込まれた時点に、“１０”というＯＳＤ画像を出力する。その後、制御部８は時間管理部１０から１秒間毎に入力を得て、１秒ごとに“９”，“８”，“７”，・・・というＯＳＤ画像をＯＳＤ発生部１１から出力するように制御する。このとき、１０秒間全てにＯＳＤ画像を表示しなくてもよく、例えば、表示残時間が３秒となってから表示終了までの３秒間のみ表示してもよい。又表示中に２秒間隔で残時間を表示しても同様な効果を得る。
【００２７】
図３（ｂ）は、図３（ａ）のような数字での表示ではなく、インジゲータによるＯＳＤ画像の表示例を示している。また、図３（ｃ）のように、画像更新時間が近づいたら、ＯＳＤ発生部１１から任意のＯＳＤ画像を点滅させて画像再生装置の使用者に知らせるようにしてもよい。例えば、画像更新時間の３秒前にＯＳＤ画像を表示するように設定した場合、制御部８は、前述のように時間管理部１０から取得した時間と自動再生時間として取得した時間との差を演算し、その演算結果が３秒になった時点でＯＳＤ発生部１１へ任意のＯＳＤ画像を出力するように制御する。
【００２８】
以上のように、本実施の形態の構成によれば、ＯＳＤ画像を重畳して表示することにより、本画像再生装置上に表示されている画像の残表示時間を使用者が容易に把握することが可能となる。
【００２９】
（実施の形態２）
次に、本発明の実施の形態２における画像再生装置及び画像再生方法について、図４から図６を用いて説明する。図４は本実施の形態における画像再生装置の構成を示すブロック図であり、図１と同一部分は同一符号を付して詳細な説明を省略する。本図において記憶素子１３は画像ファイルの表示時間を保持するための記憶素子である。メニュー画像発生部１４は再生時間を入力部９により入力する際にメニュー画面を発生するものであり、画像切替部１５はこのメニュー画面と表示画面とを切換えるものである。その他の構成は実施の形態１と同様である。
【００３０】
次にこの実施の形態について説明する。動作を開始する前にあらかじめ入力部９よりこの画像ファイル記憶メディア１の自動再生時間を設定しておく。この入力時にはメニュー画像発生部１４より時間情報を入力できるようにし、入力された再生時間を記憶部１３に記憶する。図５はこのメニュー画面の一例を示す図であり、図５（ａ）は明るさ、コントラスト及び再生時間間隔のいずれかを選択入力する画面、図５（ｂ）は再生時間間隔について自動と手動のいずれかを選択入力する画面である。自動とは画像ファイル記憶メディア１内の自動再生ファイルに格納された再生時間間隔を利用して画像データを表示させるものであり、ここで手動を選択することによって自動再生ファイルに記述された再生時間にかかわらず任意の時間を設定できる。図５（ｃ）は手動を選択したときに、再生時間を数値で入力する入力画面である。ここで数値制御キー、数値選択キーによって任意の時間を選択し記憶素子１３に書き込んで処理を終える。
【００３１】
入力部９より再生時間を記憶素子１３に記憶させた状態で自動再生を行う場合の動作について、図６のフローチャートを用いて説明する。動作を開始すると、制御部８はまずステップＳ１１において自動再生ファイル３を読み出す。そしてあらかじめ入力された自動再生時間を記憶素子１３より読み取る。そしてステップＳ１３において自動再生ファイルに指定された主画像のファイルを取り込んで、読み出し、画像展開部５に展開する。そしてその画像を画像切替部１５を介して画像表示部７に表示する（ステップＳ１４）。そしてステップＳ１５において自動再生時間の計測を開始する。このとき時間管理部１０にアクセスし、この時を起点として記憶素子１３から読み出した設定時間が経過した時を制御部８に通知するように制御する。この時間経過の通知は時間管理部１０として汎用のリアルタイムクロックＩＣを使用した場合、このＩＣが有する割り込み端子を使用すれば容易に実現できる。この時間経過の通知がくるまで制御部８は画像ファイル記憶メディア１から次に表示される画像ファイルを読み込まないため、画像再生装置上には同一画像データが表示され続ける。そして自動再生時間が終了すると、ステップＳ１６からステップＳ１７に進んで全画像の表示が終了したかどうかをチェックし、終了していなければステップＳ１３に戻って同様の処理を繰り返す。こうすれば使用者が設定した時間間隔で自動再生ファイル３の順序に沿って順次画像を表示することができる。
【００３２】
尚記憶素子１３に設定される再生時間は設定領域を分けることにより複数の情報を記憶させることができる。従って画像再生装置の操作者が複数存在する場合にも、各操作者毎に再生時間を異ならせることができる。又複数の再生時間が記憶されている場合、どの再生時間を利用して画像ファイルを再生するかを選択することもできる。このように自動画像再生の際、自動再生ファイル３に記述された自動再生順序だけを用いて自動再生時間の情報を用いず、入力部９により設定された任意の再生時間を用いることにより、その設定した時間間隔で画像を再生することができ、操作者のスタイルにあった画像再生及びプレゼンテーションが可能となる。
【００３３】
（実施の形態３）
次に本発明の実施の形態３の画像再生装置及び画像再生方法について図７，図８を用いて説明する。この実施の形態は図７にブロック図を示すように、前述した図１の実施の形態からＯＳＤ発生部１１及び画像重畳部１２を除いたものである。この実施の形態において入力部９は早送り又は巻き戻しの入力を行うものである。その他の構成は前述した実施の形態と同様であるので説明を省略する。
【００３４】
次に実施の形態３の動作について図８のフローチャートを用いて説明する。この実施の形態では入力部９から早送り又は巻き戻しの入力を行うものとする。動作を開始すると、まずステップＳ２１において画像ファイル記憶メディア１より自動再生ファイル３を読み出す。そしてステップＳ２２において指定された最初の主画像ファイルを取り込み、表示画像を画像展開部５に展開して表示する（ステップＳ２３）。そしてステップＳ２４において自動再生時間の計測を開始する。ここで入力部９より早送り要求があればステップＳ２５よりステップＳ２６に進んで、主画像の画像を更新し、早送りの要求がなくなるまでステップＳ２６，２７のループを繰り返す。早送りの入力が終了すればステップＳ２９に進む。又ステップＳ２５において早送り要求がなければステップＳ２８において自動再生時間がタイムアップしたかどうかをチェックし、タイムアップしていなければステップＳ２５に戻って早送り要求を確認する。自動再生時間がタイムアップすればステップＳ２９に進み、全画像の表示が終了したかどうかをチェックする。全画像の表示が終了していなければステップＳ２２に戻って同様の処理を繰り返す。
【００３５】
尚この実施の形態では自動再生ファイルに記述された画像ファイルの順序に基づいてその画像を高速で順次再生する早送りのみを入力するようにしているが、逆方向に画像を送る巻き戻し処理についても、入力部より巻き戻し入力をできるようにし、この入力があれば逆方向に画像を走査するようにしてもよい。こうすれば所望の画像を早送り又は巻き戻しして表示することができる。
【００３６】
（実施の形態４）
次に実施の形態４について説明する。前述した実施の形態３で早送りや巻き戻しをする場合には、主画像ファイルのデータ量が大きければスムーズな早送りや巻き戻しによる表示が難しいという問題がある。そこで表示される画像データとしてサムネイル画像があれば、これを使用することにより、容易に早送り、巻き戻しを行えるようにしたものである。本実施の形態のブロック図については図７と同様であるので、説明を詳細する。この実施の形態の動作も図８に示した実施の形態３とほぼ同様であり、ステップＳ２６において主画像を更新することに代えてサムネイルを更新する。即ち図９にフローチャートを示すように、ステップＳ３０において早送りの場合にのみサムネイル画像を用いて画像を更新する。こうすれば早送り時にのみサムネイル画像を用いて迅速に表示を行うことができる。又巻き戻しについてもサムネイル画像を用いて迅速に表示が更新できる。
【００３７】
（実施の形態５）
次に本発明の実施の形態５における画像再生装置及び画像再生方法について説明する。サムネイル画像の画像サイズは１６０画素×１２０画素と小さいため、ＳＶＧＡ（８００画素×６００画素）や、ＸＧＡ（１０２４画素×７６８画素）の解像度を有する画像再生装置にサムネイル画像をそのままの解像度で表示させると、ディスプレイ上では非常に小さい画像となる。そこで本実施の形態では早送り又は巻き戻し時にも画像を容易に認識できるように、画像を拡大し、画像再生装置の表示領域全体に画像データを表示するものである。図１０はこの実施の形態の構成を示すブロック図であり、前述した実施の形態と同一部分は同一符号を付して詳細な説明を省略する。この実施の形態では、画像拡大部１６を用いて制御部８からの制御により早送り又は巻き戻し時にのみサムネイル画像を拡大するようにしている。例えば画像再生装置としてＳＶＧＡ（８００画素×６００画素）の解像度を有するディスプレイの場合、画像拡大部１６は画像展開部５から入力された画像データを水平及び垂直方向に５倍するように制御部８から制御する。画像展開部５により画素毎に
１ライン目　００，１２，４５，・・・
２ライン目　１８，２２，６７，・・・
といった画像データが入力された場合、画像拡大部１６から画像表示部７に対し、
１ライン目　００，００，００，００，００，１２，１２，・・・
２ライン目　００，００，００，００，００，１２，１２，・・・
：
５ライン目　００，００，００，００，００，１２，１２，・・・
６ライン目　１８，１８，１８，１８，１８，１２，１２，・・・
といった画像データを出力する。このように画像拡大部１６において画像データを水平及び垂直方向に各々拡大することにより、
水平方向＝１６０画素×５倍＝８００画素
垂直方向＝１２０画素×５倍＝６００画素
となり、画像再生装置のディスプレイの解像度８００画素×６００画素で表示できる。この拡大処理時間は、主画像データを展開する実施の形態３の動作と比べ非常に短いため、早送り或いは巻き戻し時にディスプレイ全体に画像データを高速で表示させることができる。
【００３８】
本実施の形態において、早送り表示時に画像ファイル２に主画像データと共に含まれるサムネイル画像を使用して高速に画像データの更新を行う例を示したが、プログレッシブＪＰＥＧファイルやＪＰＥＧ２０００ファイル形式に採用されているような元画像データを条件毎に何枚かのサブ画像データに分類した画像ファイルが画像ファイル記憶メディア１に格納されている場合、ある特定条件下のサブ画像データのみを表示させてもよい。こうすることにより、画像ファイル記憶メディア１から画像データを読み出してから画像表示部７に所望の画像データを表示させるまでの時間を短縮することができる。例えば、ＪＰＥＧ２０００ファイル形式の場合、通常、元画像データを水平２分割して画素データの周波数成分を高域又は低域に分類する。同様に垂直方向に対しても２分割して高域又は低域に分類する。これにより画像ファイルは、
“高域｜高域”，“高域｜低域”，“低域｜高域”，“低域｜低域”
の４つのサブ画像データに分割される。これらの４つのサブ画像データを全て重畳すると元画像データが忠実に再現される。早送りや巻き戻しでは瞬時に画像表示が更新され、且つ画像データの概要を示すだけでよい場合、元画像データの特徴成分を多く含む“低域｜低域”のサブ画像データのみ表示させてもよい。こうすれば画像データの概要を操作者或いは視聴者に対し把握させることができ、且つストレス無しに高速に画像データの更新が行えることになる。
【００３９】
以上のように、本実施の形態の構成によると、本画像再生装置の操作者は、所望の画像データを高速に早送り或いは巻き戻しを行うことが可能となる。
【００４０】
（実施の形態６）
次に本実施の形態６の画像再生装置及び画像再生方法について説明する。図１１は本実施の形態６の構成を示すブロック図である。この実施の形態では図１１に示すように早送り又は巻き戻しを行った画像データの枚数を計測する画像更新回数計測部１７とその回数を記憶する記憶素子１８とを有している。制御部８はこの回数に基づいて早送りや巻き戻し時の表示を変化させるものである。その他の構成は前述した実施の形態３と同様である。
【００４１】
次にこの実施の形態の動作について図１２のフローチャートを用いて説明する。まずステップＳ３１からＳ３３については図８のステップＳ２１〜Ｓ２３と同様であり、自動再生ファイルに指定されて主画像ファイルを取り込んで表示画像を更新する。次いでステップＳ３４において早送りの要求があるかどうかをチェックし、早送り要求がなければ画像更新要求があるかどうかをチェックする（ステップＳ３５）。早送り要求があれば画像更新の回数を記憶素子１８によりチェックし、所定回数、例えば１０回以上かどうかを判別する。所定回数以下であれば図１３（ａ）に示すように画面全体に画像を表示する（ステップＳ３７）。そして早送りが終了となったかどうかをチェックし（ステップＳ３８）、終了していなければステップＳ３６のループに戻って同様の処理を繰り返す。又所定回数、例えば１０回を超えている場合には、図１３（ｂ）に示すように画面を分割して多数の画像を表示する（ステップＳ３９）。こうすれば多数の画像が同時に画面上に示されるため、大量の画像データから容易に必要な画像を検索することができる。そして早送りの入力が終了したかどうかをチェックし、終了していなければ分割表示の画像を順次更新する。又早送り要求がなくなればステップＳ４０において全画面が終了したかどうかをチェックし、終了していなければステップＳ３２のループに戻って同様の処理を繰り返す。こうすれば更新回数が増加したときに多数の画面から検索すべき画面を容易に選択できる。
【００４２】
尚この実施の形態では分割表示とするかどうかの閾値を１０回としたが、この閾値はどのような値であってもよい。又入力部から操作者が任意の値を設定するようにしてもよい。又画像更新回数計測部１７で計測した更新回数は早送りが終了した時点でリセットすることにより、本画像再生装置において早送り又は巻き戻しを何度行ってもその都度同様の効果を得ることができる。又この実施の形態では、早送りについて更新回数が多くなれば分割表示としているが、巻き戻しについても同様に更新回数に応じて画面を分割表示してもよい。更に早送りがなければ実施の形態３と同様に自動再生ファイルに記述されている自動再生時間通りに画像を順次更新してもよい。
【００４３】
【発明の効果】
以上詳細に説明したように本願の請求項１，７の発明によれば、画像表示装置上に表示されている画像データの残り表示時間を表示できるため、プレゼンテーション等のときに説明を時間内に終わらせることができるという効果が得られる。又請求項２，８の発明では、自動再生時間を適宜設定できることができるため、画像ファイルの使用状態に応じて表示時間を選択することができる。又請求項３〜６，９〜１２の発明では画像を早送りや巻き戻しを行うことができ、その場合にサムネイル画像を用いたり、多数の画像を同時に表示できるという効果が得られる。
【図面の簡単な説明】
【図１】本発明の実施の形態１における画像再生装置のブロック図である。
【図２】本実施の形態１の動作を示すフローチャートである。
【図３】実施の形態１におけるＯＳＤ画像の一例を示す図である。
【図４】本発明の実施の形態２における画像再生装置のブロック図である。
【図５】本実施の形態２のメニュー画面の一例を示す図である。
【図６】本実施の形態２の動作を示すフローチャートである。
【図７】本発明の実施の形態３における画像再生装置のブロック図である。
【図８】本実施の形態３の動作を示すフローチャートである。
【図９】実施の形態４における画像再生装置の動作を示すフローチャートである。
【図１０】実施の形態５における画像再生装置の構成を示すブロック図である。
【図１１】実施の形態６における画像再生装置の構成を示すブロック図である。
【図１２】実施の形態６における画像再生装置の動作を示すフローチャートである。
【図１３】本実施の形態６における表示時の表示画像の一例を示す図である。
【図１４】画像ファイル記憶メディア内に格納される画像ファイルの構造の一例を示す図である。
【図１５】画像ファイルの構造の一例を示す図である。
【符号の説明】
１　画像ファイル記憶メディア
２　画像ファイル
３　自動再生ファイル
４　読み出し部
５　画像展開部
６，１３，１８　記憶素子
７　画像表示部
８　制御部
９　入力部
１０　時間管理部
１１　ＯＳＤ発生部
１２　画像重畳部
１４　メニュー画像発生部
１５　画像切替部
１６　画像拡大部
１７　画像更新回数計測部
【図１】
2004007528.tif 000003
【図２】
2004007528.tif 000004
【図３】
2004007528.tif 000005
【図４】
2004007528.tif 000006
【図５】
2004007528.tif 000007
【図６】
2004007528.tif 000008
【図７】
2004007528.tif 000009
【図８】
2004007528.tif 000010
【図９】
2004007528.tif 000011
【図１０】
2004007528.tif 000012
【図１１】
2004007528.tif 000013
【図１２】
2004007528.tif 000014
【図１３】
2004007528.tif 000015
【図１４】
2004007528.tif 000016
【図１５】
2004007528.tif 000017